(57)【要約】【課題】  収納袋の底が地面についても収納袋が枠から外れたりせず、その一方で、糞を受け止めたあと収納袋を簡単に外すことができ、その際手を汚す心配が無い糞取り器を実現する。【解決手段】  複数の係止ピン３７が枠１２に植設されており、収納袋２１にはこの係止ピン３７が挿通される孔２５が穿設され、その開口部に紐通し部２２が設けられ紐２３が挿通されている（請求項１）。収納袋２１を枠１２の中に落とし込み、孔２５に係止ピン３７を挿通させ、紐通し部２２を枠１２の外から下へと被せて紐２３を締め、その紐２３を紐止め１６に絡ませる。収納袋９７に孔２５を設けず、収納袋９７の開口部を係止ピン９６に被せ、紐通し部を係止ピンの外周に周回させて紐を適宜締め、紐止め部に絡げても良い（請求項５）。【選択図】  図５
2006174705.tif 000002
【特許請求の範囲】
【請求項１】
複数の係止ピンが植設された枠と、
孔を有し開口部に紐が周回され、該孔に前記係止ピンが挿通され前記紐が締め付けられて前記枠に固定される収納袋とを備えた
ことを特徴とする糞取り器。
【請求項２】
前記係止ピンの先端付近が膨出されている
ことを特徴とする請求項１に記載の糞取り器。
【請求項３】
前記枠の外周に溝が穿設されている
ことを特徴とする請求項２に記載の糞取り器。
【請求項４】
前記係止ピンが挿通される孔が舌片で覆われている
ことを特徴とする請求項１、請求項２又は請求項３に記載の糞取り器。
【請求項５】
先端付近が膨出された複数の係止ピンが植設された枠と、
開口部に紐が周回され、該開口部が前記係止ピンを覆って各係止ピンの外側に周回され前記紐が締め付けられて前記枠に固定される収納袋とを備えた
ことを特徴とする糞取り器。
【発明の詳細な説明】
【技術分野】
【０００１】
本発明は、糞取り器に関し、特に犬の糞を直接受け止めて処理するのに好適な糞取り器に関する。
【背景技術】
【０００２】
散歩中に犬が排泄した糞を持ち帰ることは、飼い主のマナーである。この場合、地面に落ちたあと回収するより、直接袋に受け止めた方が始末が良い。地面に落ちた後だと、道具を使うか、手を使わなければならないからである（道具としては小型シャベル、火挟み（トング）など）。道具を使った場合は、後で汚れを落とさなければならない。そうでなければビニール袋で包むなど汚れ防止をしなければならない。手を使う場合は勿論ビニール袋、ティッシュ等を使わなければならない。この場合、愛犬のものではあるものの、手を使うのはあまり気持ちの良いものではない。
【０００３】
直接ビニール袋で受け止めれば、このような煩わしさ、不快感は無い。このための糞取り器は、過去幾つか提案されている（下記特許文献参照）。
【特許文献１】特開２００２−４５０７２号公報
【特許文献２】特開２００３−２５０３７７号公報  特許文献１の図２を本願の図１９として示す。特許文献２の図２を本願の図２０として示す。
【０００４】
これら従来のものはそれなりに利点がある。即ち、糞をする際に犬は腰を下げる。このため、それを直接受け止めるには、糞取り器の枠１をかなり地面に近づけなればならない（特許文献２の糞取り器についても同様であるが、両方引用すると読みにくいので特許文献１の糞取り器だけ引用する。以下同様。）。
糞取り器の枠１を地面に近づけると、袋体３の底が地面に着く。この為、袋体３が押し上げられる。この際、枠１から外れないように、袋体３が枠１にしっかり取付けられていることが好ましい。
【０００５】
この点については、各特許文献の糞取り器とも要求を十分満たしている。即ち、特許文献１の糞取り器ではリング体１の上面にフック体２が植設されており、袋体３の開口部にこのフック体２が貫通される。これにより、袋体３の底が地面に着いても開口部が枠体３から外れることは無い。
また、特許文献２の糞取り器では枠１の下面に突起部３が突設されており、これが袋の開口部に貫通される。従って、こちらも袋の底が地面に着いても開口部が枠１から外れることは無い。
【発明の開示】
【発明が解決しようとする課題】
【０００６】
しかし、これら従来の糞取り器は、糞を受け止めたあと袋体３等が外しにくい（特許文献２の袋を含め「袋体３等」という）。
即ち、このとき袋体３等の中には糞が入っている。従って、その重みで袋体３等は下に引っ張られる。これにより、特許文献１の糞取り器では、袋体３の開口部がフック体２にしっかりと引っ掛かってしまい、フック体２から外し難い。
更に、袋体３の開口部には糞が付いている畏れがある。そのため、開口部を外す際、手が汚れないよう十分注意しなければならない。
【０００７】
また、特許文献２の糞取り器でも、本願図２０に示されるように、袋の開口部が枠１の外側に折り返され、突起部３にしっかり引っ掛かっており、袋に重みがあると突起部３から外しにくい。
更に、特許文献１の糞取り器と同様に手が汚れないよう注意しなければならない。
【０００８】
本発明の目的は、上記課題を解決し、収納袋の底が地面についても収納袋が枠から外れたりせず、その一方で、糞を受け止めたあと収納袋を簡単に外すことができ、その際手を汚す心配が無い糞取り器を実現することにある。
【課題を解決するための手段】
【０００９】
上記目的達成のため請求項１の発明は、複数の係止ピンが植設された枠と、孔を有し開口部に紐が周回され、該孔に前記係止ピンが挿通され前記紐が締め付けられて前記枠に固定される収納袋とを備える。
また、請求項２の発明は、請求項１にいう係止ピンの先端付近が膨出されている。
また、請求項３の発明は、請求項１又は請求項２にいう枠の外周に溝が穿設されている。
また、請求項４の発明は、請求項１、請求項２又は請求項３にいう係止ピンが挿通される孔が舌片で覆われている。
また、請求項５の発明は、先端付近が膨出された複数の係止ピンが植設された枠と、開口部に紐が周回され、該開口部が前記係止ピンを覆って各係止ピンの外側に周回され前記紐が締め付けられて前記枠に固定される収納袋とを備える。
【発明の効果】
【００１０】
請求項１の発明によれば、収納袋の底が地面についても収納袋が枠から外れたりせず、その一方で、糞を受け止めたあと収納袋を簡単に外すことができ、その際手を汚す心配が無い。
請求項２の発明によれば、収納袋の紐を各係止ピンの外側に周回させて締め付けることができ、収納袋が枠から外れたりしない一方で、請求項１の発明より一層簡単に収納袋を外すことが出来る。
請求項３の発明によれば、枠の溝に収納袋の紐を嵌め込んで締め付けることができ、収納袋が枠から外れたりしない一方で、請求項１の発明より一層簡単に収納袋を外すことが出来る。
請求項４の発明によれば、落下する糞が係止ピンに付着することが無く、係止ピンを清潔に保つことが出来る。
請求項５の発明によれば、収納袋の紐を各係止ピンの外側に周回させて締め付けることができるので収納袋が枠から外れたりしない。その一方で孔に係止ピンを挿通していないので請求項１の発明より一層簡単に収納袋を外すことが出来る。
【発明を実施するための最良の形態】
【００１１】
以下、本発明の詳細を図示実施の形態例に基いて説明する。図１〜図７に第１の実施の形態例１０を示す。図に於て、１１は本体、１２は枠、１３は柄である。柄１３は軸１４と把持部１５とから成り、把持部１５は軸１４に摺動可能に外嵌されていて、柄１３の長さが可変である。軸１４の上面には紐止め１６が植設されている。
枠１２の上面には係止ピン１７が８個植設されている（符号はその一部に付す。他の符号についても同様。）。係止ピン１７の数は任意である。係止ピン１７は先端側が直径の太い膨出部１８とされている。この膨出部１８は外側のみで足り、内側（枠１２の中心側）は膨出していなくても構わない。
【００１２】
図４は収納袋２１を示す。収納袋２１はビニール、ポリエチレンなどで形成される。開口部には紐通し部２２が形成されていて、紐２３が挿通されている。紐の端２４は結束されている。紐通し部２２の下には、係止ピン１７が挿通される孔２５が８個形成されている。孔２５の数も係止ピン１７の数に対応して変更される。
【００１３】
収納袋２１は図５、図６に示すように枠１２に取着する。先ず、収納袋２１を枠１２の中に落とし込む。次に収納袋２１の開口部を枠１２の上に被せるようにして各係止ピン１７を収納袋の孔２５に挿通させる。それから紐通し部２２を各係止ピン１７の外側に周回させ、紐２３を絞る。そのあと紐の端２４を紐止め１６に絡げておく。
【００１４】
犬は、便意を催したとき独特の動きをする。地面の匂いを嗅ぎ、同じ場所を何度か回る。そして腰を下げる。このとき、この実施の形態例１０を犬のお尻に近づけ、落ちて来る糞を受け止める。収納袋の紐通し部２２が各係止ピン１７の外周に締め付けられている。従って、枠１２を地面に近づけたことで収納袋２１の底が地面で押し上げられても、収納袋２１が枠１２から外れることは無い。
終ったら、紐止め１６から紐２３を外し、上に引っ張る。これで、紐通し部２２が各係止ピン１７から外れ、収納袋２１が枠１２から引き出される。そこで紐２３を絞る。これで図７の如き形状となり、手を汚すことなく犬の糞が簡単に回収できる。
この第１の実施の形態例１０は、請求項２の発明の一実施の形態例に当る。
【００１５】
第２の実施の形態例３０を図８〜図１０に示す。図から理解出来るように、この実施の形態例の係止ピン３７には膨出部１８が無く、根元から先端まで同じ太さにされている。収納袋は実施の形態例と同じもの（２１。図４）を使用する。
この実施の形態例３０の場合は、図９、図１０に示すように収納袋の紐通し部２２を枠１２の外から下まで回し、その状態で紐２３を締め、端２４を紐止め１６に絡めておく。係止ピン３７が孔２５に挿通されているので、紐２３を強く締めても紐２３が締まり過ぎることは無い。
【００１６】
使い方は第１の実施の形態例１０と同じである。紐通し部２２が枠１２の下に周回されているので、収納袋２１の底が地面で押し上げられても収納袋２１が枠１２から外れることは無い。
終ったら、紐止め１６から紐２３を外し、上に引っ張る。紐通し部２２が枠１２の外周を乗り越えて上に抜け、収納袋２１が枠１２から引出される。そこで紐２３を絞る。これで第１の実施の形態例１０と同じく図７のような形となり、手を汚すことなく犬の糞が簡単に回収できる。
この第２の実施の形態例３０は、請求項１の発明の一実施の形態例に当る。
【００１７】
図１１に第３の実施の形態例の本体５１を示す。この実施の形態例は第２の実施の形態例の枠１２を変形したもので、枠５２の外周に溝６４が穿設されている。収納袋２１の紐通し部２２をこの溝６４に嵌め込んで紐２３を締める。これで、収納袋２１が枠５２に固定され、収納袋２１の底が地面で押し上げられても収納袋２１が枠５２から外れることは無い。使い方については、第２の実施の形態例３０と同様である。説明を略す。この第３の実施の形態例は、請求項３の発明の一実施の形態例に当る。
【００１８】
図１２に収納袋の変形例８１を示す。この変形例８１では各孔２５を覆うように舌片８６が取着されている。これで、収納袋８１を枠１２又は５２に装着した際に図１に示す係止ピン１７や図８に示す係止ピン３７が覆われる。従って、これらへの糞の付着が防止される。この変形例８１は請求項４の発明の一実施の形態例に当る。
【００１９】
図１３〜図１６に第４の実施の形態例９１を示す。この実施の形態例では枠９２と柄９３とがねじ９４で結合されている。係止ピン９６は丸ねじと同様の形状とされている。数も枠９２の先端側半周の４個だけとされている。柄９３も単純な棒状で、長さ不変である。収納袋９７の孔２５も無い。このように簡素化するとその分原価が下がる。
【００２０】
この実施の形態例９１では、収納袋９７の開口部を各係止ピン９６の上に被せ、紐通し部２２を各係止ピン９６の外側に周回させる。その後、紐２３を適宜絞り込み、その端２４を紐止め１６に絡げる（図１５、図１６）。これで収納袋９７が枠９２にしっかりと固定される。係止ピン９６の形状を丸ねじ状としたので紐通し部２２の係止が一層確実になる。尤も、係止ピンの形状は、第１の実施の形態例の係止ピン１７の如きとしても良い。
【００２１】
糞を取ったあとは、絡げた紐２３を外す。これだけで収納袋９７の開口部が係止ピン９６から外れる。紐２３を絞れば、図７と同様の形状になる（孔２５は無い）。この第４の実施の形態例９１は、請求項５の発明の一実施の形態例に当る。
【００２２】
図１７、図１８に第５の実施の形態例１０１を示す。柄の先端１０２を太くして断面積を大きくし、枠９２に接着している。このような形式でも枠９２と柄１０３の結合を図ることが出来る。
【図面の簡単な説明】
【００２３】
【図１】第１の実施の形態例の本体１１を示す平面図。
【図２】第１の実施の形態例の本体１１を示す左側面図。
【図３】第１の実施の形態例の本体１１を示す斜視図。
【図４】第１の実施の形態例の収納袋２１を示す斜視図。
【図５】第１の実施の形態例の収納袋２１の装着状態を示す斜視図。
【図６】図１のＡ１−Ａ２線に沿って切断した断面で第１の実施の形態例の収納袋２１の装着状態を示す断面図。
【図７】糞を収納した収納袋２１を示す斜視図。
【図８】第２の実施の形態例の本体３１を示す斜視図。
【図９】第２の実施の形態例の収納袋２１の装着状態を示す斜視図。
【図１０】図１のＡ１−Ａ２線に沿って切断した断面で第２の実施の形態例の収納袋２１の装着状態を示す断面図。
【図１１】第３の実施の形態例の本体５１を示す右側面図。
【図１２】収納袋の変形例８１を示す斜視図。
【図１３】第４の実施の形態例の本体を示す平面図。
【図１４】第４の実施の形態例の本体を示す左側面図。
【図１５】第４の実施の形態例の収納袋の装着状態を示す斜視図。
【図１６】図１のＡ１−Ａ２線に沿って切断した断面で第４の実施の形態例の収納袋の装着状態を示す断面図。
【図１７】第５の実施の形態例の本体を示す平面図。
【図１８】第５の実施の形態例の本体を示す左側面図。
【図１９】従来の糞取り具の一例を示す斜視図（特開２００２−４５０７２図２）。
【図２０】従来の糞取り具の一例を示す側面図（特開２００３−２５０３７７図２）。
【符号の説明】
【００２４】
１０…第１の実施の形態例              １１…本体
１２…枠                              １３…柄
１４…軸                              １５…把持部
１６…紐止め                          １７…係止ピン
１８…膨出部                          ２１…収納袋
２２…紐通し部                        ２３…紐
２４…紐の端                          ２５…孔
３０…第２の実施の形態例              ３１…本体
３７…係止ピン                        ５１…本体
５２…枠                              ６４…溝
８１…収納袋変形例                    ８６…舌片
９１…第４の実施の形態例              ９２…枠
９３…柄                              ９４…ねじ
９６…係止ピン                        ９７…収納袋
１０１…第５の実施の形態例          １０２…柄の先端
１０３…柄
【図１】
2006174705.tif 000003
【図２】
2006174705.tif 000004
【図３】
2006174705.tif 000005
【図４】
2006174705.tif 000006
【図５】
2006174705.tif 000007
【図６】
2006174705.tif 000008
【図７】
2006174705.tif 000009
【図８】
2006174705.tif 000010
【図９】
2006174705.tif 000011
【図１０】
2006174705.tif 000012
【図１１】
2006174705.tif 000013
【図１２】
2006174705.tif 000014
【図１３】
2006174705.tif 000015
【図１４】
2006174705.tif 000016
【図１５】
2006174705.tif 000017
【図１６】
2006174705.tif 000018
【図１７】
2006174705.tif 000019
【図１８】
2006174705.tif 000020
【図１９】
2006174705.tif 000021
【図２０】
2006174705.tif 000022